(57)【特許請求の範囲】
【請求項１】
持参した穀物を投入する投入ホッパ（１）と、投入ホッパ（１）に投入した穀物を精米処理する精米機（５）と、料金を投入する料金投入口（１２）とを設けた料金式精米設備において、
投入ホッパ（１）の開口部を手動で開閉する投入ホッパ開閉扉（２０）と投入ホッパ開閉扉（２０）の閉状態を検出する開閉扉検出手段（２１）を設け、
投入ホッパ開閉扉（２０）は横軸芯で開閉すると共に、閉時に投入ホッパ（１）の上面を覆う構成とし、投入ホッパ開閉扉（２０）が閉時にロックするロック機構を設け、
投入ホッパ（１）に玄米を投入後、開閉扉検出手段（２１）が投入ホッパ開閉扉（２０）の閉状態でかつロック状態を検出しないと、精米処理作業を開始しないよう制御する制御部（１６）を設けたことを特徴とする料金式精米設備。
【発明の詳細な説明】
【技術分野】
【０００１】
本発明は、利用者が持参した籾や玄米等の穀物を精米処理する料金式精米設備に関する。
【背景技術】
【０００２】
特許文献１には、自動販売機型のコンパクトな精米設備について記載されている。
【先行技術文献】
【特許文献】
【０００３】
【特許文献１】特開２００３-１１７４１１号公報
【発明の開示】
【発明が解決しようとする課題】
【０００４】
コンパクトな精米設備にしたときに適正な許容精米量を設定し、精米処理時のトラブルを防止することを課題とする。
【課題を解決するための手段】
【０００５】
この発明は、かかる技術的課題を解決するために次のような技術的手段を構成した。すなわち、請求項１の発明では、持参した穀物を投入する投入ホッパ（１）と、投入ホッパ（１）に投入した穀物を精米処理する精米機（５）と、料金を投入する料金投入口（１２）とを設けた料金式精米設備において、投入ホッパ（１）の開口部を手動で開閉する投入ホッパ開閉扉（２０）と投入ホッパ開閉扉（２０）の閉状態を検出する開閉扉検出手段（２１）を設け、投入ホッパ開閉扉（２０）は横軸芯で開閉すると共に、閉時に投入ホッパ（１）の上面を覆う構成とし、投入ホッパ開閉扉（２０）が閉時にロックするロック機構を設け、投入ホッパ（１）に玄米を投入後、開閉扉検出手段（２１）が投入ホッパ開閉扉（２０）の閉状態でかつロック状態を検出しないと、精米処理作業を開始しないよう制御する制御部（１６）を設けたことを特徴とする。
【発明の効果】
【０００６】
【０００７】
請求項１記載の発明では、投入ホッパ１に投入ホッパ開閉扉２０が閉じられないほど玄米を投入した場合には精米処理を行なえないので、一回の運転で処理できる最大の精米処理量を制限することができる。そのため、許容量を超えて精米処理した場合のトラブル、例えば、白米タンクがオーバーフローして精米機が詰まる等のトラブルを防止することができる。
【図面の簡単な説明】
【０００８】
【図１】正面から見た精米設備の装置各部を示す図
【図２】側面から見た精米設備の装置各部を示す図
【図３】平面から見た精米設備の装置各部を示す図
【図４】正面から見た精米設備の斜視図
【図５】正面から見た別実施例の精米設備の装置各部を示す図
【図６】側面から見た別実施例の精米設備の装置各部を示す図
【図７】平面から見た別実施例の精米設備の装置各部を示す図
【図８】投入ホッパの開閉扉を説明する図
【図９】ブロック図
【図１０】フローチャート
【発明を実施するための最良の形態】
【０００９】
図１と図２と図３に基づいて、精米設備の構成について説明する。
【００１０】
１は利用者が持参した玄米を投入する投入ホッパで、投入ホッパ１の下方に、投入した玄米に混じる石を抜く石抜機２を設ける。石抜機２の隣接する位置に石抜き処理した玄米を揚穀する昇降機３を設け、昇降機３の投げ口側には玄米を一時貯留する玄米タンク４を設ける。玄米タンク４の下方には玄米を精米処理する精米機５を設け、精米機５の排出口側には精米処理した精白米を貯留する白米タンク６を設けている。投入ホッパ１の底部には開閉シャッタ７を設け、白米タンク６の底部の排出口６ａにも開閉シャッタ９を設けている。
【００１１】
投入ホッパ１の直上方に白米タンク６を設け、白米タンク６の直上方に精米機５を設け、精米機５の直上方に玄米タンク４を設け、下から順に石抜機２、投入ホッパ１、白米タンク６、精米機５、玄米タンク４の順に直上下方向に積み重ねるように配置する構成とする。そして、当該積み重ねた装置各部に隣接する位置に昇降機３を設ける構成としている。そして、投入ホッパ１、石抜機２、昇降機３、玄米タンク４、精米機５、白米タンク６の装置各部は長方形状の箱体Ｈ内に収容される構成としている。
図４に基づいて精米設備の正面側を説明する。
投入ホッパ１の上面には横軸心で前後方向に開閉する投入ホッパ開閉扉２０を設ける。投入ホッパ１側には開口部を閉じてロック状態になったことを検出する開閉検出センサ２１と図示しないが投入ホッパ開閉扉２０のロック機構３０とを設ける。そして、投入ホッパ１の底部には開閉シャッタ７を設ける。投入ホッパ１の下部には穀物有無検出センサ２９を設ける。
箱体Ｈの正面側には横開きのメンテナンス用扉８を設け、メンテナンス用扉８を開けると前述の装置各部が露出する構成である。
【００１２】
メンテナンス用扉８の正面側には投入ホッパ１に玄米を投入し、あるいは白米タンク６から精白米を取り出すための開口部１０を形成すると共に、精白度を選択する複数の精白度選択スイッチ１１ａ，１１ｂ，１１ｃと料金投入口１２等からなる操作盤１３を設けている。１４はメンテナンス用扉８を開閉する取っ手で、１５はコイン返却口である。
【００１３】
操作盤１３の裏側、すなわち、メンテナンス用扉８の裏面には図９に示す制御部１６を設けている。
【００１４】
本実施の形態の精米運転の概要について説明する。
利用者は料金投入口にコインを投入すると、ロック機構３０の解除がなされ、持参した玄米を開口部１０から投入ホッパ１に投入して投入ホッパ開閉扉２０を閉じる。図８の（イ）に示すように、開閉検出センサ２１が投入ホッパ開閉扉２０のロック機構３０のロック状態を検出すると、精白度選択スイッチ１１ａ，１１ｂ，１１ｃを選択操作可能であることを示すランプが点灯する。開閉検出センサ２１が投入ホッパ開閉扉２０のロック機構３０のロック状態を検出しないと、精白度選択スイッチ１１ａ，１１ｂ，１１ｃのランプが点灯せず、精米運転の開始ができない。すなわち、図８の（ロ）に示すように投入ホッパ１に許容精米処理量以上（例えば１５ｋｇ以上）の玄米を一回の運転で精米処理できないようにする。すなわち、一度に許容量を超える精米処理を行なうことによる白米タンク６のオーバーフローによる詰まり等のトラブルを防止するためのものである。
また、料金には一回の運転で最大の許容精米処理量に対応する料金（例えば３００円）以上の料金を投入する（例えば４００円を投入する）と、超える分の料金（１００円）は受け付けないで料金返却口１５に自動的に返却することで、利用者が無駄に料金を投入することを防止できる。
なお、料金は投入した累積料金が前述の設定金額以上になると受け付けない構成で、例えば、精米開始前に４００円を投入したらその時点で１００円が料金返却口１５に返却される。また、精米開始前に２００円投入し、精米開始後に２００円追加投入した場合には１００円が返却される。
あるいは設定金額まで料金を投入すると料金投入口１２を閉鎖し、料金を投入できない構成にしても良い。
開閉扉２０を閉じてロックされたことを開閉検出センサ２１が検出すると、精白度選択スイッチ１１ａ，１１ｂ，１１ｃが点灯し、所望の精白度を選択すると料金に対応する運転時間、精米運転が開始される。開閉シャッタ７が開き、投入ホッパ１内の玄米が石抜機２に供給される。石抜機２の周知の石抜選別板２ａと送風ファン２ｄで石抜き処理された玄米は後方に搬送され、石抜排出口２ｂから石抜搬送シュート２ｃを経て昇降機３に供給される。そして、昇降機３で玄米タンク４搬送され、玄米タンク４から精米機５に順次供給されて精米処理がなされる。精米処理されて精米機５から排出された精白米は白米タンク６に貯留される。利用者は持参した袋を投入ホッパ１上に載置し、白米タンク６の排出口６ａの開閉シャッタ９を開けて袋に精白米を収容する。精米機５の精米処理で発生した糠は糠ファン１７で糠搬送筒１９を経て糠小屋１８へ吸引・搬送される。
精米運転中に穀物有無検出センサ２９が穀物無しを検出すると、石抜機２、昇降機３、精米機の順に順次停止する終了動作工程を行ない、全停止する。また、料金分の運転時間が経過すると装置各部が停止する。
本実施例において、投入ホッパ開閉扉２０を閉めてロックし、精米処理を開始したらロック解除して投入ホッパ開閉扉２０を開けられるようにしても良い。その場合には、投入ホッパ開閉扉２０を再度閉めないと白米タンク６の開閉シャッタ９を開けて白米を取り出せない構成にしても良い。
本実施の形態のレイアウト構成により、装置各部を直上下方向に集中的に設けることができるため、設置面積の少ないコンパクトな精米設備にすることができる。
また、白米タンク６の排出口６ａを投入ホッパ１の開口部の上方に対向する位置に設けることで、精白米を収容する袋等の容器を投入ホッパ１上に載置して精白米を収容することができるため収容しやすい。また、袋から精白米をこぼしても投入ホッパ１内に入るため、精米設備の周辺に精白米が散乱することを防止することができる。
本実施の形態の精米機５は、供給側が高い位置とし、排出側を低い位置とする本体を斜めに傾斜するタイプを採用しているが、供給側を背面側にし、排出側を正面側として配置することで、上下方向の高さを低く抑えることができる。そして、玄米タンク４を精米機５の排出側の上方及び供給側の前方の空間部を利用して配置することで、精米設備の設置高さを低く抑えることができる。
開閉シャッタ７は、設定した運転時間が経過するか、投入ホッパ１内の穀物有無検出センサ２９が玄米無しを検出して終了動作工程に入ると開閉シャッタ７を閉じることで、石抜機２の送風ファン２ｄの送風作用が投入ホッパ１に吹き上げられて塵埃が舞うことを防止することができる。
１８は箱体Ｈに隣接して設ける糠小屋で、精米機５の精米作業で発生し、糠ファン１７で吸引・搬送された糠を貯留する。この実施例では糠ファン１７を箱体Ｈ内に設ける構成としているが、糠小屋１８側に設け、糠小屋１８を防音壁構造として糠ファン１７の騒音を低減する構成としてもよい。
また、糠ファン１７から糠小屋１８へ搬送される糠は糠搬送筒１９は昇降機３の後方を通過して糠小屋１８と接続する構成とすることで、昇降機３の後ろのスペースを有効に利用することができる。また、糠ファン１７を精米機５の排出側の後方及び供給側の下方のスペースに設けることで、精米設備の前後長をコンパクトにすることができる。また、利用者から遠い位置となり、利用者に聞こえる騒音を低減することができる。
また、本実施の形態の糠小屋１８は箱体Ｈの側方に隣接する位置に設けているが、箱体Ｈの後方に設けても良い。
【００１５】
次に図５と図６と図７に基づいて精米設備の別の実施の形態について説明する。
【００１６】
図５と図６と図７の別の実施の形態の投入ホッパ１、石抜機２、昇降機３、玄米タンク４、精米機５、白米タンク６の装置各部の基本的な構成については図１・図２・図３の精米設備と略同様である。また、図４の箱体及びメンテナンス用扉８の構成は同様である。
【００１７】
図１・図２・図３の精米設備と相違する部分について説明する。
石抜機２の玄米排出側には玄米一時貯留タンク２３を設け、玄米一時貯留タンク２３の下部には横搬送ラセン２４を設け、昇降機３の下部と接続する。白米タンク６の底部の排出口６ａには白米ロータリバルブ２５を設け、白米排出スイッチ２６の操作で駆動する構成である。
【００１８】
一時貯留タンク２３は玄米タンク４の大きさを小さくして精米設備の設置高さを低くするためのもである。
【００１９】
別実施の形態の精米作業の概要について説明する。
【００２０】
前述の投入ホッパ開閉扉２０の構成や前述の超過料金の返却の構成についてはこの実施例でも適用できる。
【００２１】
精白度選択スイッチ１１ａ，１１ｂ，１１ｃを選択すると、装置各部は駆動を開始し、玄米ロータリバルブ２２が投入ホッパ１内の玄米を石抜機２に繰り出される。石抜機２で石抜き処理された玄米は玄米一時貯留タンク２３に一時貯留され、順次横搬送ラセン２４で昇降機３に搬送され、玄米タンク４に貯留され、順次精米機５に供給され、精米処理がなされる。
【００２２】
精米処理がなされた精白米は白米タンク６に排出される。利用者は閉じ姿勢の投入ホッパ開閉扉２０上に持参した袋を載置して白米排出スイッチ２６を操作すると白米ロータリバルブ２５が駆動して袋内に精白米が収容される。
【００２３】
また、白米排出スイッチ２６とは別に白米量調節スイッチ２７を一回操作すると所定精白米量（例えば１合）ずつ排出できる構成としても良い。すなわち、利用者が所定量ずつ小分けして持ち帰ることができる。
【００２４】
また、投入ホッパ開閉扉２０に精白米を収容する袋等の容器を載置できるため、載置し易い。投入ホッパ１の上方に投入ホッパ開閉扉２０とは別に、折りたたみ式の袋置き台（図示せず）を設けても良い。
【００２５】
なお、本実施の形態の精米設備は屋外用のため、湿度センサ（図示せず）で雨天を検知し、雨天時は利用できなくして、投入ホッパ内に雨が流れ込むのを防止することができる。
【符号の説明】
【００２６】
１  投入ホッパ
２  石抜機
３  昇降機
４  玄米タンク
５  精米機
６  白米タンク
２０  投入ホッパ開閉扉
２１  開閉扉検出手段（センサ）
【図１】
0005581727.tif 000002
【図２】
0005581727.tif 000003
【図３】
0005581727.tif 000004
【図４】
0005581727.tif 000005
【図５】
0005581727.tif 000006
【図６】
0005581727.tif 000007
【図７】
0005581727.tif 000008
【図８】
0005581727.tif 000009
【図９】
0005581727.tif 000010
【図１０】
0005581727.tif 000011